(57)【特許請求の範囲】
【請求項１】
物品収容凹所を形成する、底板及び側壁を有する折り畳み式の保冷コンテナであって、
前記側壁は、
前記底板の一方の対向する辺に起立転倒自在に連結された一対の第１側板と、
前記底板の他方の対向する辺に起立転倒可能に連結された一対の第２側板と、
前記第１側板を起立させた後で前記第２側板を起立させた際に、前記第１側板と第２側板とを隅部で接続する接続手段と、を具備し、
前記底板の辺部の上面（前記側板の下端面との当接面）に、該上面内において最も高い、内側縁に沿って立ち上がる段部が形成されており、
水が前記側板の外面を伝って前記底板の前記側壁部の上面に流れ落ちた場合には、該側壁部の上面において前記段部がダムのような作用をして、該水が前記底板の凹所側に流れ落ちることを防ぎ、
前記第１側板及び／又は第２側板の外面下端部に、該側板の長手方向に延び、外方向に突出する外突条が形成されており、
該外突条の両端部から内寄りの位置に、上角部を切り欠いた凹部が形成されており、
前記側板の外面を伝って前記外突条の上面に溜った水は、該外突条の上面を伝い前記凹部から前記底板の周壁部の外面に落下し、該水が前記底板の底部側に浸入することを防ぐことを特徴とする保冷コンテナ。
【請求項２】
物品収容凹所を形成する、底板及び側壁を有する折り畳み式の保冷コンテナであって、
前記側壁は、
前記底板の一方の対向する辺に起立転倒自在に連結された一対の第１側板と、
前記底板の他方の対向する辺に起立転倒可能に連結された一対の第２側板と、
前記第１側板を起立させた後で前記第２側板を起立させた際に、前記第１側板と第２側板とを隅部で接続する接続手段と、を具備し、
前記底板の辺部の上面（前記側板の下端面との当接面）に、該上面内において最も高い、内側の縁に沿って立ち上がる段部が形成されており、
前記側板の下端面（前記底板の辺部の上面との当接面）に、外側の縁に沿って立ち上がる下突条が形成されており、
前記側板が起立した際に、前記底板の辺部上面に形成した段部の高さが、前記側板の下端面に形成した下突条の下面の高さよりも高く、
水が前記側板の外面を伝って前記底板の前記側壁部の上面に流れ落ちた場合には、該側壁部の上面において前記段部がダムのような作用をして、該水が前記底板の凹所側に流れ落ちることを防ぎ、
前記第１側板及び／又は第２側板の外面下端部に、該側板の長手方向に延び、外方向に突出する外突条が形成されており、
該外突条の両端部から内寄りの位置に、上角部を切り欠いた凹部が形成されており、
前記側板の外面を伝って前記外突条の上面に溜った水は、該外突条の上面を伝い前記凹部から前記底板の周壁部の外面に落下し、該水が前記底板の底部側に浸入することを防ぐことを特徴とする保冷コンテナ。
【請求項３】
前記各側板の底部と前記底板の辺部との間であって、前記段部の側壁の部分に、該側板起立時に嵌合する凹部と凸部とが形成されていることを特徴とする請求項１又は２に記載の保冷コンテナ。
【発明の詳細な説明】
【技術分野】
【０００１】
本発明は、冷蔵食品や冷凍食品用の保冷コンテナに関する。特には、密閉性が高く、結露により発生した水滴が浸入しにくい構造の保冷コンテナに関する。
【背景技術】
【０００２】
冷蔵食品や冷凍食品用の保冷コンテナは、冷気が外へ漏れださないよう、密閉性が高いことが要求される。特に側板が折り畳み式のコンテナにおいては、起立した側板間や側板と底板との間にスキマが生じないようにすることが必要である。また、コンテナ内の温度が低いため、コンテナ内の温度と外気温度との差により、温度の高い外面が結露する場合がある。コンテナの外面に付着した水滴が同面を伝って流れ落ちると、側板と底板とのスキマや側板間のスキマからコンテナ内部に浸入することがあり、衛生面の点から好ましくない。
【先行技術文献】
【特許文献】
【０００３】
【特許文献１】特開２００８−２８５１８５
【発明の開示】
【発明が解決しようとする課題】
【０００４】
本発明は上記の問題点に鑑みてされたものであって、密閉性が高く、結露により発生した水滴が浸入しにくいように改良した保冷コンテナを提供することを目的とする。
【課題を解決するための手段】
【０００５】
本発明のベースとなる保冷コンテナは、 物品収容凹所を形成する、底板及び側壁を有する折り畳み式の保冷コンテナであって、 前記側壁は、 前記底板の一方の対向する辺に起立転倒自在に連結された一対の第１側板と、 前記底板の他方の対向する辺に起立転倒可能に連結された一対の第２側板と、 前記第１側板を起立させた後で前記第２側板を起立させた際に、前記第１側板と第２側板とを隅部で接続する接続手段と、を具備し、 前記底板の辺部の上面（前記側板の下端面との当接面）に、該上面内において最も高い、内側縁に沿って立ち上がる段部が形成されており、  水が前記側板の外面を伝って前記底板の前記側壁部の上面に流れ落ちた場合には、該側壁部の上面において前記段部がダムのような作用をして、該水が前記底板の凹所側に流れ落ちることを防ぐことを特徴とする。
【０００６】
本発明のベースとなる他の態様の保冷コンテナは、 物品収容凹所を形成する、底板及び側壁を有する折り畳み式の保冷コンテナであって、 前記側壁は、 前記底板の一方の対向する辺に起立転倒自在に連結された一対の第１側板と、 前記底板の他方の対向する辺に起立転倒可能に連結された一対の第２側板と、 前記第１側板を起立させた後で前記第２側板を起立させた際に、前記第１側板と第２側板とを隅部で接続する接続手段と、を具備し、 前記底板の辺部の上面（前記側板の下端面との当接面）に、該上面内において最も高い、内側の縁に沿って立ち上がる段部が形成されており、 前記側板の下端面（前記底板の辺部の上面との当接面）に、外側の縁に沿って立ち上がる下突条が形成されており、 前記側板が起立した際に、前記底板の辺部上面に形成した段部の高さが、前記側板の下端面に形成した下突条の下面の高さよりも高く、  水が前記側板の外面を伝って前記底板の前記側壁部の上面に流れ落ちた場合には、該側壁部の上面において前記段部がダムのような作用をして、該水が前記底板の凹所側に流れ落ちることを防ぐことを特徴とする。
【０００７】
本発明によれば、底板に設けた段部がダムのような作用をし、底板の辺部の上面に溜まった水滴が凹所側へ落下することを防ぐことができる。
【０００８】
本発明においては、  前記各側板の底部と前記底板の辺部との間に、該側板起立時に嵌合する凹部と凸部とが形成されていることが好ましい。
【０００９】
本発明によれば、起立した各側板と底板とが凹凸嵌合するので、起立した各側板は底板に対して上下方向において相対的に固定されるので、コンテナ本体の密閉性が高まる。なお、底板と側板との間の回転支点は、ある程度ガタを残さざるを得ず、この回転支点のみでは底板と側板との接続強さは十分ではない。底板と側板との固定をより強固にするためには、本発明の凹凸嵌合のような別の手段が必要となる。
さらに、各側板は凹凸嵌合により底板により噛み合うので、底板の中央部に荷重がかかった際の底板の変形を防止できるという効果も得られる。また、底板と各側板との連結部（ボス構造）の構造の強度を補完できるという効果も得られる。
【００１０】
本発明においては、  前記第１側板及び／又は第２側板の外面下端部に、該側板の長手方向に延びる突条が形成されており、  該突条の両端部から内寄りの位置に、上角部を切り欠いた凹部が形成されていることが好ましい。
【００１１】
コンテナ内部の温度と外気温度とに差が生じて、コンテナの外面に結露が発生した場合、外面に付着した水滴が外面を伝って突条まで落下する。そして、突条の上面を伝って流れる際に、凹部から下方へ落下する。つまり、付着した水滴は両側板間のスキマに達する前に下方に落下するので、水滴が凹所内へ浸入することを防ぐことができる。
【発明の効果】
【００１２】
以上の説明から明らかなように、本発明によれば、底板の周壁部の上面に設けた段部がダムのような作用をするので、底板の周壁部の上面に溜まった水滴が凹所側へ落下することを防ぐことができる。さらに、側板の下縁に沿って延びる突条などを形成した場合は、コンテナ外面に付着した水滴が凹所へ浸入しにくくなり、保冷コンテナとして衛生面などで特に適している。
【図面の簡単な説明】
【００１３】
【図１】本発明の実施の形態に係るコンテナの外観斜視図である。
【図２】図１のコンテナの蓋の構造を示す図であり、図２（Ａ）は平面図、図２（Ｂ）は右側面図である。
【図３】図１のコンテナのコンテナ本体の外観斜視図である。
【図４】図１のコンテナのコンテナ本体の短側板を倒した状態を示す外観斜視図である。
【図５】図１のコンテナの底板の構造を示す図であり、図５（Ａ）は平面図、図５（Ｂ）は短辺側側壁部の断面図、図５（Ｃ）は長辺側側壁部の断面図である。
【図６】図１のコンテナの底板の構造を示す斜視図である。
【図７】図１のコンテナの短側板の外面の構造を示す図であり、図７（Ａ）は正面図、図７（Ｂ）は側面図である。
【図８】図１のコンテナの短側板の側部の構造を示す斜視図である。
【図９】図１のコンテナのロック機構を構成するロック部材の構造を示す図であり、図９（Ａ）は正面図、図９（Ｂ）は平面図である。
【図１０】図１のコンテナの長側板の構造を示す図であり、図１０（Ａ）は内面を示す正面図、図１０（Ｂ）は側面図である。
【図１１】図１のコンテナの長側板の側部の構造を示す斜視図である。
【図１２】図１のコンテナの接続機構及びロック機構を説明する図である。
【図１３】図１のコンテナのコンテナ本体の側板と底部との連結部を示す図であり、図１３（Ａ）は長側板と底部との連結部を示す側断面図、図１３（Ｂ）は短側板と底部との連結部を示す側断面図である。
【発明を実施するための最良の形態】
【００１４】
以下、本発明の実施の形態について、図面を参照しながら詳細に説明する。
保冷コンテナ１は、図１に示すように、物品収容凹所２（図３参照）を形成する底と側壁を有するコンテナ本体２０を備える。さらに、コンテナ本体２０の凹所２を閉じる蓋１０を備える。以降の説明において、凹所２の側を内側（内方向）、その反対側を外側（外方向）という。
なお、本発明の保冷コンテナの「保冷」は、収容物の温度を保つことを意味し、「保温」も含む意味である。つまり、温かいものが収容される際には、保冷コンテナはその温度を保つ作用を有する。
【００１５】
まず、蓋１０の構造を説明する。
図２に示すように、蓋１０は、平面形状が長方形で、所定の厚さを有する。蓋１０の上面には、外縁に沿って高さの低い土手部１１が形成されている。コンテナ積み重ね時、あるいは、蓋単体の積み重ね時には、この土手部１１で囲まれた凹部内に、上に積み重ねられるコンテナ本体の下面に形成された下凸部、あるいは、蓋１０の下面に形成された下凸部１５（詳細後述）が嵌り込み、積み重ね時の安定を与える。また、土手部１１の長辺の所定位置には凹部１２が形成されており、この凹部１２に、コンテナ本体２０に蓋１０をしたときに、蓋１０をコンテナ本体２０に留める留め部材１３が取り付けられている。留め部材１３には、弾性変形する係止片が設けられており、この係止片がコンテナ本体２０に係止される。なお、この留め部材１３は、折り畳んだコンテナ本体２０に蓋１０をしたときにも、蓋１０とコンテナ本体２０とを係止する。この例では、留め部材１３は各長辺に２個ずつ取り付けられている。
【００１６】
図２（Ｂ）に示すように、蓋１０の下面には、蓋１０の輪郭よりも一回り小さい輪郭の、下方に突出する下凸部１５が形成されている。
【００１７】
次に、図３、図４を参照してコンテナ本体２０を説明する。
コンテナ本体２０は、底を構成する平面形状が長方形の底板３０と、側壁を構成する一対の短側板４０及び一対の長側板６０と、からなる。短側板４０及び長側板６０は、底板３０に折り畳み可能に連結している。折り畳む際は、まず、図４に示すように、短側板４０を内側に折り畳み、その後、長側板６０を、折り畳まれた短側板４０に重ねるように折り畳む。さらに、コンテナ本体２０には、起立した短側板４０と長側板６０とを、コンテナ本体２０の隅で接続する接続機構３００（詳細後述）を備える。また、起立した短側板４０と長側板６０とをロックするロック機構４００を備えてもよい（詳細後述）。
【００１８】
底板３０について、図５、図６を主に参照して説明する。
底板３０は、平面形状が長方形の底部３１と、底部３１上面の周囲から立ち上がった周壁部３２とを有する。周壁部３２は、対向する一対の短辺側周壁部３２Ｓと、一対の長辺側周壁部３２Ｌとを有する。図３、４に示すように、短辺側周壁部３２Ｓには、短側板４０が起倒自在に連結され、長辺側周壁部３２Ｌには、長側板６０が起倒自在に連結されている。なお、短辺側周壁部３２Ｓの高さは、長辺側周壁部３２Ｌよりもが低くなっている。これは、コンテナ本体２０を折り畳む際に、先に短側板４０を折り畳み、折り畳まれた短側板４０の上に長側板６０を折り畳むためである。
【００１９】
図５（Ｂ）に示すように、各短辺側周壁部３２Ｓは、外側の平坦な平坦上面部３３と、平坦上面部３３の内側の縁に沿って立ち上がった段部３４と、段部３４の上端から底部３１に向かって傾斜した傾斜面３５とを有する。段部３４は、平坦上面部３３に水が溜まった場合に、ダムのような作用をして、水が底部３１側へ流れ落ちるのを防ぐ。傾斜面３５には、外方向に向かって凹んだ凹部３６が２か所に形成されている。後述するように、この凹部３６に、短側板４０に形成された凸部４６が嵌合する。
【００２０】
また、図５（Ｃ）に示すように、長辺側側壁部３２Ｌは、外側の縁に沿って形成された溝部３７と、溝部３７の内側の縁に沿って立ち上がる段部３８とを有する。段部３８の高さは、溝部の縁の高さよりも高く、長辺側側壁部３２Ｌの上面の中で最も高くなっている。この段部３８は、溝部３７内に水が溜まった際に、この水が底部３１側へ流れ落ちるのを防ぐためのものである。また、段部３８の外側の面には、内方向に向かって凹んだ凹部３９が２か所に形成されている。後述するように、この凹部３９には、長側板６０に形成された凸部７９が嵌合する。
【００２１】
短側板４０について、図７を主に参照して説明する。
短側板４０は、平面形状が略長方形の、ある程度の厚さを有する部材であり、幅は、底板３０の短辺側周壁部３２Ｓの長さよりも、長側板６０の厚さの２倍程度短くなっている。これは、折り畳み時に、側板の厚さによる側板同士の干渉を避けるためである。
【００２２】
図７（Ｂ）に示すように、上端面４１の内側には、同端面４１よりも一段低い内側端面４２が形成されている。
【００２３】
さらに、図７（Ｂ）に示すように、短側板４０の下端面には、外縁に沿って立ち上がる下突条４４と、その内側の凹部４３が形成されている。凹部４３の内側の部分は下突条４４よりも下方に突出しており、底板３０との連結部４５となっている。この連結部４５の外面には、凸部４６が２か所に形成されている。これらの凸部４６は、前述のように、短側板４０が起立した際に、底板３０の短辺側周壁部３２Ｓに形成された凹部３６（図５参照）に嵌合する。
【００２４】
また、図７（Ａ）に示すように、外面のほぼ中央には、持ち運び時に指先が入る凹部４８が形成されている。この凹部４８の上方には、ロック機構４００を構成するロック部材１００（詳細後述）を収容する凹部４９が、短側板４０の幅方向に渡って形成されている。さらに、外面には、上縁から凹部４９に連通する溝部５１が形成されている。この溝部５１は、ロック部材１００を操作する際に指を入り込ませて、ロック部材１００を扱いやすくするためのものである。
【００２５】
図８を参照して、短側板４０の側部の構造を説明する。図８は、短側板３０の側部を示す斜視図であり、図の紙面奥側の面が凹所２側の面（内側）、紙面手前側の面が反凹所側の面（外側）、右下側の面が側面である。
短側板４０の外面４０ａと側面４０ｂとの角は切り欠かれた形状となっており、外面４０ａから一段奥側の奥側外面４０ｃと、側面４０ｂから一段奥側の奥側側面４０ｄとが形成されている。さらに、側面４０ｂと奥側外面４０ｃとの角の上部には、ほぼ直角に切り欠かれた形状の上凹部５５が形成されている。この上凹部５５は、短側板４０の外面４０ａに形成された凹部４９と連通しており、後述するように、ロック部材１００のロック部１０４が収容される。
【００２６】
上凹部５５の下方には、奥側外面４０ｃと側面４０ｂとの間の角が切り欠かれた切欠き５６が形成されている。この切欠き５６は、短側板４０と長側板６０とのを隅部で接続するためのものである。切欠き５６は、奥側外面４０ｃから内方向（凹所方向）に延びるあり溝５７と、あり溝５７の側方において張り出したフランジ部５８と、を有する。あり溝５７の上下の端面と、フランジ部５８の上下の端面は、端面間の幅が内側に向かうほど狭くなるように傾斜したテーパ面となっている。また、あり溝７７の幅は、内側へ向かうほど狭くなっている。
なお、「あり溝」とは、二つの部材に、溝とそれにスライドして入る凸部が形成されており、溝は底広、凸部は頭広となっており、スライド方向と異なる方向には２部材が分離しないような溝をいう。
【００２７】
図９を参照してロック部材の構造を説明する。
ロック部材１００は、長尺状のある程度の硬さを有する樹脂成型品であり、長さは、短側板４０の幅とほぼ等しい。ロック部材１００は、図７に示すように、短側板４０の外面の凹部４９にスライド可能に収容されて、取り外し可能なカバー部材５２、５３で保持されている。
【００２８】
図９に示すように、ロック部材１００は、中央の波型バネ部１０１と、その両側のリング部１０３と、両端に配置されたロック部１０４と、リング部１０３とロック部１０４とを接続する接続部１０５とを有する。
波型バネ部１０１は、両リング部１０３及びロック部１０４を同バネ部に対して外方向に付勢している。
リング部１０３は、作業時に指を入れて互いに引き寄せて、波型バネ部１０１を圧縮させるためのものである。リング部１０３の内側の縁には、リング部１０３の内方向に張り出す張り出し部１０３ａが形成されている。この張り出し部１０３ａは、操作時に指を引っ掛けやすくするためのものである。さらに、両リング部１０３には、波型バネ部１０１の方向に延びるバネ片１０７が設けられている。これらのバネ片１０７は、リング部１０３を互いに引き寄せたときに下シール部材９０に形成された突起（図示されず）に当接して弾性変形してバネ作用を生じる。
【００２９】
ロック部１０４は、略直方体状の形状であり、図９（Ｂ）に示すように、外側の側面は、内から外に向かって広がるテーパ面１０４ａとなっている。図９（Ｂ）に示すように、ロック部１０４は、ロック部材１００のその他の部分と同一直線状ではなく、やや内側をこれらの部分と平行に外方向に延びている。
【００３０】
各リング部１０３に指を挿入して、両リング部１０３を寄せると、波型バネ部１０１は収縮し、ロック部１０４は内方向に移動する。指を離すと、波型バネ部１０１はもとの形状に戻り、ロック部１０４は外方向へ移動する。
【００３１】
長側板６０について、図１０を主に参照して説明する。図１０（Ａ）は、長側板６０の内面を示す図である。
長側板６０は、図１０に示すように、平面形状が略長方形の、ある程度の厚さを有する部材であり、幅は、底板３０の長辺側周壁部３２Ｌの長さと等しい。
【００３２】
長側板６０の上端面６１の内側には、同端面６１よりも低い内側端面６２が形成されている。図３に示すように、両側板４０、６０を起立させた状態においては、両側板の上端面４１、６１は同一面となり、内側端面４２、６２は同一面となる。そして、蓋閉時には、蓋１０の下面に形成された下凸部１５が、両側板４０、６０の内側端面４２、６２に乗り、下凸部１５の外側の蓋１０の下面が、両側板４０、６０の上端面４１、６１に乗る。
【００３３】
図１０に示すように、長側板６０の下端面には、下方に突出した底板３０との連結部６３が同側板６０の長手方向に沿って形成されている。連結部６３の外面には、外方向に突出する外突条６４が長側板６０の長手方向に沿って形成されている。図３、図４に示すように、この外突条６４の両端（短側板４０との接続部）からやや内側の部分には、外突条６４の上面と外面との角が斜めに切り欠かれた凹部６５が形成されている。コンテナ使用時に長側板６０の外面に結露が発生して、水滴が外面を伝って落下した際、水滴はいったん外突条６４の上面に溜るが、その水滴は外突条６４の上面を伝い、凹部６５から底板３０の周壁部３２に落下する。つまり、水滴が外突条６４の上面を伝って長側板６０の側縁まで達し、両側板６０、４０のスキマから底部３１側へ侵入することを防ぐことができる。
【００３４】
さらに、図１０に示すように、外突条６４の下面には、下方に突出する下突条６６が長側板６０の長手方向に沿って形成されている。この下突条６６の内面には凸部７９が２か所に形成されている。これらの凸部７９は、前述のように、長側板６０が起立した際に、底板３０の長辺側周壁部３２Ｌに形成された凹部３９（図５参照）に嵌合する。
【００３５】
また、図４、図１０に示すように、長側板６０の外面の両側端部には、底板３０の短辺側側壁部３２Ｓに沿ってやや張り出した張り出し部６７が形成されている。さらに、長側板６０の外面の上端付近には、蓋１０に取り付けられた留め部材１３の係合片が係合する係合凹部７１が形成されている。
【００３６】
図１１を主に参照して、長側板６０の側部の構造を説明する。図１１は、長側板６０の側部を示す斜視図であり、紙面手前側の面が凹所２側の面（内側）、紙面奥側の面が反凹所側の面（外側）である。
図に示すように、長側板６０の内面の張り出し部６７からやや内寄りの位置には、短側板４０に取り付けられたロック部材１００（図９参照）のロック部１０４が係合する突部７３が形成されている。この突部７３とロック部材１００により、短側板４０と長側板６０とがロックされる（詳細は後述する）。突部７３は、ある程度の高さを有し、内側の側面は、長側板６０の内面から斜め外方向に傾斜した傾斜面７３ａとなっており、外側の側面は、長側板６０の内面にほぼ垂直な垂直面７３ｂとなっている。この垂直面７３ｂと、張り出し部６７との間には所定のスキマが開いている。
【００３７】
突部７３の下方には、前述した短側板４０に形成した切欠き５６に係合する突片７５が立設されている。この突片７５と、短側板４０の側部に形成した切欠き５６により、短側板４０と長側板６０とが隅部で接続される。突片７５は、長側板６０の内面に突設された平面形状が長方形状の基部７６と、基部７６よりも長側板の上下方向において幅広の張出部７７とを有する。基部７６の上下端面と、張出部７７の上下端面とは、端面間の幅が内側に向かうほど狭くなるように傾斜したテーパ面となっている。また、張出部７７の厚さは、内側に向かうほど狭くなっている。
【００３８】
次に、図１２、図１３を参照して、組み立て時の短側板と長側板との接続機構３００、及び、両側板のロック機構４００を説明する。
コンテナ本体２０を組み立てる際は、まず長側板６０を回動して起立させる。この際、図１３（Ａ）に示すように、長側板６０の連結部６３が底板３０の長辺側側壁部３２Ｌの段部３８に乗り、外突条６４は溝部３７上に乗って、下突条６６が溝部３７に嵌り込む。そして、下突条６６に形成された凸部７９（図１０参照）が、段部３８に形成された凹部３９（図５（Ｃ）参照）に嵌合する。この状態において、例えば、長側板６０の外面に付着した水滴が長側板６０の長辺側側壁部３２Ｌとの間（溝部３７）に浸入した場合、水滴は溝部３７の外側の縁を超えて外に流れ落ちるが、内側には段部３８が存在するのでせき止められ、底部３１側へは流れ落ちない。
【００３９】
その後、図１２（Ａ）に示すように、短側板４０を回動する。すると、まず、図１２（Ｂ）に示すように、短側板４０の切欠き５６に長側板６０の突片７５が係合し始める。すると、側板同士が離間し得なくなる。この状態となった後に、短側板４０のロック部材１００のロック部１０４が、長側板６０の内面に形成された突部７３に達し、ロック部材１００のロック部１０４のテーパ面１０４ａが突部７３のテーパ面７３ａに沿って乗り上げ始める。これにより、ロック部１０４が内方向に押される。ロック部材１００の姿勢は保持されているので、このロック部１０４の内方向への移動は、波型バネ部１０１の収縮により吸収される。
【００４０】
さらに短側板４０を回動させると、図１２（Ｃ）に示すように、短側板４０の切欠き５６に長側板６０の突片７５が完全に係合する。この際、突片７５の張出部７７が、切欠き５６のあり溝５７に嵌り込み、基部７６がフランジ部５８間に嵌り込む。言い換えれば、短側板４０のフランジ部５８は、長側板６０の内面と突片７５の張出部７７との間に挟み込まれる。
【００４１】
突片７５と切欠き５６との係合面は、前述のようなテーパ面となっているので、楔効果により両側板４０、６０が引き寄せられるように固定される。これにより、両側板は高さ方向にも横方向にもガタつかないように接続される。さらに、突片７５と切欠き５６の位置や寸法を厳密に合わせておくことにより、接続された短側板４０と長側板６０の上端面４１、６１、及び、内側端面４２、６２を同一面に合わせることができる。この場合、上端面４１、６１間、及び、内側端面４２、６２間に段差がないので、蓋１０と、内側端面４２、６２、及び、上端面４１、６１との間にスキマが生じず、密閉性が得られる。
【００４２】
そして、図１３（Ｂ）に示すように、短側板４０の連結部４５が、底板３０の短辺側周壁部３２Ｓの傾斜面３５に当接する。そして、短側板４０の下突条４４が短辺側側壁部３２Ｓの平坦上面部３３に乗り、下突条４４と連結部４５の間の凹部４３に短辺側側壁部３２Ｓの段部３４が嵌り込む。この際、短側板４０の連結部４５の外面に形成された凸部４６が、短辺側周壁部３２Ｓの傾斜面３５に形成された凹部３６に嵌合する。
【００４３】
そして、短側板４０の奥側外面４０ｃが長側板６０の張り出し部６７に当接するとともに、ロック部材１００のロック部１０４が突部７３から離れて、波型バネ部１０１により外方向に付勢され、突部７３の垂直面７３ｂと長側板６０の張り出し部６７との間に嵌り込む。これにより、短側板４０と長側板６０が起立状態でロックされる。このように、起立した長側板６０に対して短側板４０を回動させるだけで起立した両側板６０、４０をロックできる。
【００４４】
以上のように構成されたコンテナは、特に保冷コンテナとして有効な以下の特長を有する。
（１）長側板６０の外面が結露して水滴が付着した場合、図１３（Ａ）に示すように、水滴は長側板６０の外面を伝って外突条６４の上面に溜るが、その水滴は外突条６４の上面を伝い、凹部６５から底板３０の周壁部３２の外面に落下する。つまり、水滴が外突条６４の上面を伝って長側板６０の側縁まで達し、両側板６０、４０のスキマから底部３１側へ侵入することを防ぐことができる。
（２）水滴が長側板６０の表面を伝って底板３０の長辺側側壁部３２Ｌの上面に流れ落ちた場合には、水滴は長辺側側壁部３２Ｌの溝部３７に溜まる。長辺側側壁部３２Ｌの上面においては、段部３８の高さが溝部３７の縁の高さよりも高いので、溜まった水は溝部３７の外側の縁から長辺側側壁部３２Ｌの外面へ流れ出す。このように、段部３８がダムのような作用をし、水滴が底部３１側へ流れ落ちることを防ぐ。
（３）水滴が短側板４０の表面を伝って底板３０の短辺側側壁部３２Ｓの上面に流れ落ちた場合には、水滴は短辺側側壁部３２Ｓの平坦上面部３３に溜まる。短辺側側壁部３２Ｓの上面においては、段部３４が平坦上面部３３よりも高いので、溜まった水は平坦上面部３３の外側の縁から短辺側側壁部３２Ｓの外面へ流れ出す。このように、段部３４がダムのような作用をし、水滴が底部３１側へ流れ落ちることを防ぐ。
【００４５】
（４）長側板６０と短側板４０とは、突片７５と切欠き５６との係合面の楔効果により引き寄せられるように固定され、両側板は高さ方向にも横方向にもガタつかないように接続される。また、突片７５と切欠き５６の位置や寸法を厳密に合わせておくことにより、接続された短側板４０と長側板６０の上端面４１、６１、及び、内側端面４２、６２を同一面に合わせることができ、蓋１０との間にスキマが生じず、密閉性が得られる。
（５）また、両側板４０、６０と底板３０とは、凹凸嵌合（短側板４０の凸部４６と短辺側周壁部３２Ｓの凹部３６、長側板６０の凸部７９と長辺側側壁部３２Ｌの凹部３９）する。底板３０と両側板４０、６０との間の回転支点は、ある程度のガタが残っているので、この回転支点のみでは底板３０と両側板４０、６０との接続強さは十分ではない。そこで、両者を凹凸嵌合により連結することにより、底板３０と両側板４０、６０との固定をより強固にできる。
【００４６】
一方、折り畳み時は、ロック部材１００の両リング部１０３を中央に寄せる。この際、指を短側板４０の外面に形成した溝部５１に沿わせると、リング部１０３をつかみやすい。すると、ロック部１０４が、長側板６０の突部７３と張り出し部６７との間から抜け出し、ロックが解除される。このように、ワンタッチ式でロック機構４００を解除できる。その後、短側板４０が長側板６０の突部７３を過ぎるまで両リング部１０３を中央に寄せたまま短側板４０を倒せばよい。
【符号の説明】
【００４７】
１  コンテナ                          ２  物品収容凹所
１０  蓋                              １１  土手部
１２  凹部                            １３  留め部材
１５  下凸部
２０  コンテナ本体
３０  底板                            ３１  底部
３２  周壁部                          ３３  平坦上面部
３４  段部                            ３５  傾斜面
３６  凹部                            ３７  溝部
３８  段部                            ３９  凹部
４０  短側板                          ４０ａ  外面
４０ｂ  側面                          ４０ｃ  奥側外面
４０ｄ  奥側側面                      ４３  凹部
４４  下突条                          ４５  連結部
４６  凸部                            ５１  溝部
５２、５３  カバー部材                ５５  上凹部
５６  切欠き                          ５７  あり溝
５８  フランジ部
６０  長側板                          ６１  上端面
６２  内側端面                        ６３  連結部
６４  外突条                          ６５  凹部
６６  下突条                          ６７  張り出し部
７５  突片                            ７６  基部
７７  張出部                          ７９  凸部
１００  ロック部材                    １０１  波型バネ部
１０３  リング部                      １０４  ロック部
１０５  接続部                        １０７  バネ片
３００  接続機構                      ４００  ロック機構
【図１】
0005497370.tif 000002
【図２】
0005497370.tif 000003
【図３】
0005497370.tif 000004
【図４】
0005497370.tif 000005
【図５】
0005497370.tif 000006
【図６】
0005497370.tif 000007
【図７】
0005497370.tif 000008
【図８】
0005497370.tif 000009
【図９】
0005497370.tif 000010
【図１０】
0005497370.tif 000011
【図１１】
0005497370.tif 000012
【図１２】
0005497370.tif 000013
【図１３】
0005497370.tif 000014